(57)【要約】【課題】冷房運転時の上吹出しの風量を確保しつつ、暖房運転時の下吹き出しを行える空気調和機を提供する。【解決手段】空気調和機１の筐体２内の遠心ファン９を覆うファンケーシング１０には、遠心ファン９を周方向から取囲んで空気が沿って流れる内周面１１ａを有する周壁部１１が設けられている。その空気の流れの接線方向の先に下方吹出し口６が位置する周壁部１１の部分に、下方吹出し口６に繋がる下方吹出しダクト１５に連通する切欠き穴１２が形成されている。ファンケーシング１０の上部には、上方吹出し口４に繋がる上方吹出しダクト１６が接続される接続部１４が形成され、接続部１４の一方の側１４ａに舌部１３が形成されている。内周面１１ａは、舌部１３から切欠き穴１２が形成された部分を経て接続部１４の他方の側１４ｂにわたって形成されている。【選択図】図４
2008180457.tif 000002
【特許請求の範囲】
【請求項１】
所定の筐体と、
前記筐体の上部に設けられ、前記筐体内に取り入れられて熱交換された空気を前記筐体の外へ吹出すための上方吹出し口と、
前記筐体の下部に設けられ、熱交換された空気を前記筐体の外へ吹出すための下方吹出し口と、
前記筐体内において前記上方吹出し口と前記下方吹出し口との間に配設されて、熱交換された空気を前記上方吹出し口および前記下方吹出し口へ向けて送り出すための遠心ファンと、
前記遠心ファンを周方向から取囲み、熱交換された空気が沿って流れる内周面が形成された周壁部を有して前記遠心ファンを覆うように配設されたファンケーシングと、
前記ファンケーシングの上方に設けられ、前記ファンケーシング内と前記上方吹出し口とを連通する上方吹出しダクトと、
前記ファンケーシングの前記周壁部のうち、前記内周面に沿って形成される空気の流れの接線方向の先に前記下方吹出し口が位置する所定の前記周壁部の部分に形成された切欠き穴と、
前記ファンケーシングの下方に設けられ、前記切欠き穴を介して前記ファンケーシング内と前記下方吹出し口とを連通する下方吹出しダクトと
を備えた、空気調和機。
【請求項２】
前記切欠き穴は、前記下方吹出し口の開口断面積と同じ断面積を有するように形成され、
前記下方吹出しダクトは、前記開口断面積と同じ流路断面積を有するように形成された、請求項１記載の空気調和機。
【請求項３】
前記下方吹出しダクトは、前記下方吹出し口に向って前記切欠き穴を通る空気の流れに沿うように配設された、請求項１または２に記載の空気調和機。
【請求項４】
前記ファンケーシングの上部には前記上方吹出しダクトと連通するための接続部が形成され、
前記接続部における、前記遠心ファンの回転軸と直交する方向の一方の側には舌部が配設され、
前記ファンケーシング内では、前記舌部から前記切欠き穴が位置する部分を経て前記接続部における前記一方の側と対向する他方の側に向う空気の流れが生じ、
前記周壁部の前記内周面は、インボリュート曲線に基づいて前記舌部から前記切欠き穴が位置する部分を経て前記他方の側に至る領域に形成された、請求項１〜３のいずれかに記載の空気調和機。
【請求項５】
前記切欠き穴は、前記接続部における前記他方の側よりも前記舌部が位置する前記一方の側に接近した位置に形成された、請求項４記載の空気調和機。
【請求項６】
前記下方吹出しダクトを流れる空気の量を調節するためのダンパーを備えた、請求項１〜５のいずれかに記載の空気調和機。
【発明の詳細な説明】
【技術分野】
【０００１】
本発明は空気調和機に関し、特に、冷暖房機能を備えた床置き型の空気調和機に関するものである。
【背景技術】
【０００２】
室内の環境を快適にするために空気調和した空気を室内に送り込む空気調和機が従来から使用されている。そのような空気調和機の一例として、特許文献１に開示された床に置いて使用される床置き型の空気調和機について説明する。図１５に示すように、この種の空気調和機１０１では、まず、筐体１０２の前面中央付近に室内の空気を筐体１０２内に取り入れるための吸込み口１０３が設けられている。
【０００３】
また、筐体１０２の上面部分には、吸込み口１０３から取り入れられて熱交換器（図示せず）によって熱交換された空気を、上方向に向けて吹出すための上方吹出し口１０４が設けられている。一方、筐体１０２の前面の吸込み口１０３の下方には、熱交換された空気を下方向に向けて吹出すための下方吹出し口１０５が設けられている。
【０００４】
図１６に示すように、その筐体１０２内には、熱交換された空気を上方吹出し口１０４あるいは下方吹出し口１０５に向けて送り出すために、全周方向に送風するバックワードファン１０６が配設されている。また、筐体１０２内には、熱交換された空気を上方吹出し口１０４あるいは下方吹出し口１０５に導くために、バックワードファン１０６の中心線に対して所定の角度だけ傾斜した位置に上エアガイダ１０７が配設され、バックワードファン１０６の中心を挟んでこの上エアガイダ１０７と対向する位置（対角位置）に下エアガイダ１０８が配設されている。
【０００５】
この空気調和機１０１では、バックワードファン１０６が回転することで吸込み口１０３から室内の空気が筐体１０２内に取り入れられて熱交換器（図示せず）を通過する。熱交換器により熱交換された空気は、バックワードファン１０６により円周方向の速度成分をもった全周方向への流れとなる。その空気の流れは上エアガイダ１０７により上方向と下方向の流れとなり、また、下エアガイダ１０８により上方向と下方向の流れとなって、それぞれ上方吹出し口１０４と下方吹出し口１０５に導かれる。こうして、上方吹出し口１０４と下方吹出し口１０５とから室内に向けて熱交換された空気が送り出されることになる。
【特許文献１】特開２００１−２０８３６６号公報
【発明の開示】
【発明が解決しようとする課題】
【０００６】
しかしながら、従来の空気調和機では次のような問題点があった。一般に、暖房器具としては、空気調和機を含め温風ヒータや赤外線ヒータ等のさまざまなタイプの暖房器具が普及している。一方、冷房器具としては、空気調和機以外に、冷却と除湿を行なう機能を有する適当な冷房器具は見当たらない。
【０００７】
そのため、冷暖房機能を有する空気調和機では、暖房器具として使用されるよりも、むしろ、冷房器具として使用される頻度が高い。通常、床置き型の空気調和機を冷房運転させるときは、熱交換されて冷却された空気は上方吹出し口から上方に向けて室内に送り出される。これに対し、暖房運転させるときは、熱交換された空気は主に下方吹出し口、あるいは、下方吹出し口と上方吹出し口の双方から室内に送り出される。
【０００８】
図１６に示すように、上述した床置き型の空気調和機１０１では、上方吹出し口１０４に向う空気は、下エアガイダ１０８の舌部１１０から上方吹出し口１０４の一端側に向って延在する壁部１１１ａと、上エアガイダ１０７の舌部１０９から上方吹出し口１０４の他端側に向って延在する壁部１１１ｂとの間に形成された送風路１１３内を流れる（上吹出し）。一方、下方吹出し口１０５に向う空気は、上エアガイダ１０７の舌部１０９から下方吹出し口１０５の一端側に向って延在する壁部１１２ｂと、下エアガイダ１０８の舌部１１０から下方吹出し口１０５の他端側に向って延在する壁部１１２ａとの間に形成された送風路１１４内を流れる（下吹出し）。
【０００９】
その２つの舌部１０９，１１０は、バックワードファン１０６の中心１０６ａを通る垂線に対して所定の角度（θ１、θ２）だけ傾斜した位置に、その中心１０６ａを挟んで対向するように位置する。このため、筐体１０２の限られた高さとの関係で各壁部１１１ａ，１１１ｂ，１１２ａ，１１２ｂの長さ（距離）が制限されてしまう。その結果、特に、頻繁に使用される冷房運転時に上方吹出し口１０４だけから空気を室内に送り出そうとする場合（上吹出し）に、十分な吹出し風量が得られないという問題があった。
【００１０】
本発明は上記問題点を解決するためになされたものであり、その目的は、冷房運転時の上吹出しの風量を確保しつつ、暖房運転時の下吹き出しを行なえる空気調和機を提供することである。
【課題を解決するための手段】
【００１１】
本発明に係る空気調和機は、所定の筐体と上方吹出し口と下方吹出し口と遠心ファンとファンケーシングと上方吹出しダクトと切欠き穴と下方吹出しダクトとを備えている。上方吹出し口は筐体の上部に設けられ、筐体内に取り入れられて熱交換された空気を筐体の外へ吹出す。下方吹出し口は筐体の下部に設けられ、熱交換された空気を筐体の外へ吹出す。遠心ファンは筐体内において上方吹出し口と下方吹出し口との間に配設されて、熱交換された空気を上方吹出し口および下方吹出し口へ向けて送り出す。ファンケーシングは遠心ファンを周方向から取囲み、熱交換された空気が沿って流れる内周面が形成された周壁部を有して遠心ファンを覆うように配設されている。上方吹出しダクトはファンケーシングの上方に設けられ、ファンケーシング内と上方吹出し口とを連通する。切欠き穴は、ファンケーシングの周壁部のうち内周面に沿って形成される空気の流れの接線方向の先に下方吹出し口が位置する所定の周壁部の部分に形成されている。下方吹出しダクトはファンケーシングの下方に設けられ、切欠き穴を介してファンケーシング内と下方吹出し口とを連通する。
【００１２】
この構成によれば、まず、ファンケーシングが、遠心ファンを周方向から取囲んで熱交換された空気が沿って流れる内周面が形成された周壁部を有している。これにより、頻繁に使用される冷房運転時には、熱交換されて冷却された空気をその周壁部の内周面に沿って流すことで空気の流路長を十分に確保することができ、上方吹出し口から送り出される空気の風量を十分に得ることができる。また、切欠き穴が空気の流れの接線方向の先に下方吹出し口が位置する所定の周壁部の部分に形成され、その切欠き穴と下方吹出し口を連通する下方吹出しダクトが設けられている。これにより、暖房運転時には、切欠き穴を通って下方吹出し口から送り出される空気の圧力損失を抑えながら、切欠き穴を通らずに内周面に沿って流れて上方吹出し口から送り出される空気の風量を確保することができる。
【００１３】
より具体的に、下方吹出し口から送り出される空気の圧力損失を低減するには、切欠き穴は、下方吹出し口の開口断面積と同じ断面積を有するように形成され、下方吹出しダクトは、開口断面積と同じ流路断面積を有するように形成されていることが好ましい。また、下方吹出しダクトは、下方吹出し口に向って切欠き穴を通る空気の流れに沿うように配設されていることが好ましい。なお、同じ断面積というのは、数学的に完全に同じ断面積であることを意図するものではなく、空気の圧力損失に影響を与えない程度の数値範囲を含むものである。
【００１４】
そして、より具体的に、上方吹出し口から送り出す空気の流路長を確保するには、ファンケーシングの上部には上方吹出しダクトと連通するための接続部が形成され、その接続部における、遠心ファンの回転軸と直交する方向の一方の側には舌部が配設され、ファンケーシング内では、舌部から切欠き穴が位置する部分を経て接続部における一方の側と対向する他方の側に向う空気の流れが生じ、周壁部の内周面は、インボリュート曲線に基づいて舌部から切欠き穴が位置する部分を経て他方の側に至る領域に形成されていることが好ましい。
【００１５】
さらに、切欠き穴は、接続部における他方の側よりも舌部が位置する一方の側に接近した位置に形成されていることが好ましい。
【００１６】
冷房運転時において上方吹出し口より十分な空気の吹出し量を得て、暖房運転時において下方吹出し口から空気を送り出すには、下方吹出しダクトを流れる空気の量を調節するためのダンパーを備えていることが好ましい。
【発明を実施するための最良の形態】
【００１７】
本発明の実施の形態に係る床置き型の空気調和機について説明する。図１および図２に示すように、まず、空気調和機１の筐体２の背面には、室内の空気を筐体２内に取り入れるための吸込み口３が設けられている。筐体２の前面の上部には、吸込み口３から取り入れられて熱交換器（図示せず）によって熱交換された空気を上方向に向けて吹出すための上方吹出し口４が設けられている。一方、筐体２の前面の下部には、熱交換された空気を下方向に向けて吹出すための下方吹出し口６が設けられている。また、筐体２の一方の側面と他方の側面にも、熱交換された空気を左右に向けて吹出すための側方吹出し口５ａ，５ｂが設けられている。
【００１８】
次に、筐体２の内部について説明する。図３に示すように、筐体２内には、吸込み口３から室内の空気を筐体２内に取り込んで、上方吹出し口４等から吹出すための遠心ファン９が配設されている。遠心ファン９は、モータ９ａと複数の羽根９ｂを備えて、吸込み口３と対向する筐体２の前面側の中央付近に配置されている。吸込み口３と遠心ファン９との間には、空気に含まれる塵や埃を取り除くためのエアーフィルタ７と、熱交換を行なうための熱交換器８が配設されている。この熱交換器８には、室外機（図示せず）が接続されて冷媒の循環が行なわれる。
【００１９】
図３および図４に示すように、遠心ファン９に対して、筐体２の前面の側から覆うようにファンケーシング１０が取付けられている。そのファンケーシング１０の上方には、ファンケーシング１０の内部と上方吹出し口４あるいは側方吹出しダクト５ａ，５ｂとを連通する上方吹出しダクト１６が配設されている。上方吹出しダクト１６は、ダクト前部１６ａとダクト後部１６ｂとによって形成されている。
【００２０】
一方、ファンケーシング１０の下方には、ファンケーシング１０の内部と下方吹出し口６とを連通する下方吹出しダクト１５が配設されている。後述するように、そのファンケーシング１０には、ファンケーシング１０と下方吹出し口６との位置関係に基づいて、所定の部分に下方吹出しダクト１５に連通する切欠き穴１２が設けられている。また、下方吹出しダクト１５の途中には、下方吹出しダクト１５を流れる空気の量を調節するためのダンパー１７が配設されている。
【００２１】
次に、ファンケーシング１０の構造について説明する。図５および図６に示すように、ファンケーシング１０には、遠心ファン９の羽根９ｂ（図４参照）を周方向から取囲む周壁部１１を備えている。周壁部１１の内側には、熱交換された空気が沿って流れる内周面１１ａが形成されている。周壁部１１の所定の位置には、下方吹出しダクト１５（図４参照）に連通する切欠き穴１２が形成されている。
【００２２】
また、ファンケーシング１０の上部には、上方吹出しダクト１６に接続されて上方吹出しダクト１６に連通する開口態様の接続部１４が形成されている。その接続部１４における遠心ファン９の回転軸９ｃと直交する方向の一方の側１４ａのファンケーシング１０の部分には、羽根９ｂとは所定の間隔を隔てて羽根９ｂ（図４参照）に向って突出するように舌部１３が形成されている。
【００２３】
接続部１４における一方の側１４ａと対向する他方の側１４ｂでは、周壁部１１と上吹出しダクト１６（図４参照）とが滑らかに接続されている。内周面１１ａは、舌部１３から切欠き穴１２が形成された部分を経て接続部１４の他方の側１４ｂに至るまでインボリュート曲線に基づいて形成されている。なお、ファンケーシング１０の中央部分に設けられた矩形状の開口には、遠心ファン９のモータ９ａ（図４参照）が装着される。ファンケーシング１０内では、舌部１３から切欠き穴１２を経て他方の側１４ｂに向う大局的な空気の流れが形成されることになる。
【００２４】
次に、周壁部１１に形成される切欠き穴１２の位置について説明する。上述したように、ファンケーシング１０内では、空気は内周面１１ａに沿って舌部１３から切欠き穴１２を経て他方の側１４ｂに向って流れる。図７に示すように、切欠き穴１２は、周壁部１１のうち、その空気の流れ（矢印５０）の接線方向（矢印５０ａ）の先に下方吹出し口６が位置する周壁部１１の部分に形成されている。この場合、切欠き穴１２は接続部１４における他方の側１４ｂよりも舌部１３が位置する一方の側１４ａに接近した位置に形成されることになる。そして、下吹出しダクト１５は、切欠き穴１２に連通して切欠き穴１２を通る空気の流れ（矢印５２）に実質的に沿うようにして下方吹出し口６に繋がっている。このため、下吹出しダクト１５は、垂直方向に対して斜めに傾くように配設されている（図４参照）。
【００２５】
この流れの接線方向の先に下方吹出し口６が位置する周壁部１１の部分とは、周方向に沿ってある範囲で切欠き穴を設けたとすれば、その切欠き穴を通過して直線的に流れる空気の流れの先に下方吹出し口６が位置しているような周壁部１１の部分をいう。切欠き穴が形成される内周面１１ａの領域における周方向のあらゆる位置に対し、その接線方向の先に下方吹出し口６が位置していることを必ずしも意図するものではない。
【００２６】
また、切欠き穴１２を通る空気の流れに実質的に沿うように配設された下方吹出しダクト１５とは、下方吹出しダクト１５が切欠き穴１２を通る空気の流れに完全に沿って配設されていることを意図するものではなく、切欠き穴１２を通って流れる空気の流路が大きく変えられることがなく下方吹出し口６に向って延在していれば、流れの向きから多少傾斜していてもよい。
【００２７】
この配置関係をより具体的に特定するために、図７に示すように、たとえば遠心ファン９の回転軸９ｃを原点Ｏとする互いに直交するＸ−Ｙ座標軸を設定する。そうすると、切欠き穴１２は、第４象限に位置する周壁部１１の部分に形成されることになる。一方、図８に示すように、切欠き穴１２が第３象限に位置する周壁部１１の部分に形成されるとすると、その切欠き穴１２を通過して直線的に流れる空気の流れ（矢印５１）の先には下方吹出し口６は位置しておらず、熱交換された空気を下方吹出し口６にまで導くことができない。発明者らは、実際に第３象限に位置する周壁部１１の部分に切欠き穴１２を形成した場合に、下方吹出し口６からは空気を吹出させることはできないことを確認している。
【００２８】
また、圧力損失をなくすために、切欠き穴１２は、下方吹出し口６の開口断面積と同じ開口断面積（奥行き長さ×円周長）を有するように形成されている。さらに、その切欠き穴１２と下方吹出し口６とを連通する下方吹出しダクト１５も、下方吹出し口６の開口断面積と同じ流路断面積を有して配設されている。なお、同じ断面積とは数学的に厳密に同じであることを意図するものではなく、当然に製造上の誤差等も含み、また、空気の圧力損失に影響を与えない程度の数値範囲を含むものである。
【００２９】
また、第４象限に位置する周壁部１１の部分に形成される切欠き穴１２の第４象限内の位置によっては、下方吹出し口６において横方向の空気の吹出し量（風速）に偏りがある場合がある。図４に示すように、この下方吹出しダクト１５では、下方吹出しダクト１５の途中においてエアガイダ１８が設けられて、下方吹出し口６における横方向（左右）の空気の吹出し量の均一化が図られている。
【００３０】
次に、上述した空気調和機１の動作について説明する。まず、冷房運転では、図９に示すように、下方吹出しダクト１５内に設けられたダンパー１７が閉じられる。次に、図１０に示すように、遠心ファン９が回転することで、吸込み口３から室内の空気（矢印６０）が筐体２内に取り入れられ、エアーフィルタ７によって空気に含まれる塵や埃が除去される。エアーフィルタ７を通過して塵等が除去された空気は、熱交換器８を通過する。熱交換器８を通過する間に熱交換器８を循環する冷媒と空気との間で熱交換が行なわれて空気が冷却される。
【００３１】
図１１に示すように、熱交換された空気は、遠心ファン９によりファンケーシング１０の周壁部１１の内周面１１ａに沿って流れ、ファンケーシング１０内では、下吹出しダクト１５へ流れることなく舌部１３から切欠き穴１２が位置する部分を経て接続部１４の他方の側１４ｂ向う空気の流れ（矢印６１）が形成される。つまり、図７に示す座標軸に基づくと、空気は第Ｉ象限から第ＩＶ象限および第ＩＩＩ象限を経て第ＩＩ象限へ向って流れることになる。
【００３２】
接続部１４に到達した空気は、接続部１４から上吹出しダクト１６を経て上方吹出し口４あるいは側方吹出し口５ａ，５ｂへ導かれる。こうして、熱交換されて冷却された空気は、上方吹出し口４あるいは側方吹出し口５ａ，５ｂから室内に送り出されて室内が冷房される。
【００３３】
次に、暖房運転では、図１２および図１３に示すように、まず、下方吹出しダクト１５内に設けられたダンパー１７が開けられる。遠心ファン９が回転することで、吸込み口３から室内の空気が筐体２内に取り入れられ、エアーフィルタ７によって空気に含まれる塵や埃が除去される。エアーフィルタ７を通過して塵等が除去された空気は、熱交換器８を通過する。熱交換器８を通過する間に熱交換器８を循環する冷媒と空気との間で熱交換が行なわれて空気が暖められる（図１０参照）。
【００３４】
熱交換された空気は、遠心ファン９によりファンケーシング１０の周壁部１１の内周面１１ａに沿って流れ、ファンケーシング１０内では、舌部１３から切欠き穴１２が位置する部分を経て接続部１４の他方の側１４ｂに向う空気の大局的な流れ（矢印６２）が形成される。このとき、ダンパー１７が開いていることで、内周面１１ａに沿って流れる空気のうち一部の空気（矢印６３）が、舌部１３から切欠き穴１２を経て下吹出しダクト１５へ向って流れる。下吹出しダクト１５を流れる空気は、下方吹出し口６から室内に送り出される。
【００３５】
一方、ファンケーシング１０内を流れる残りの空気は、接続部１４から上吹出しダクト１６を経て上方吹出し口４あるいは側方吹出し口５ａ，５ｂへ導かれる。こうして、熱交換されて暖められた空気は、上方吹出し口４、側方吹出し口５ａ，５ｂおよび下方吹出し口６から室内に送り出されて室内が暖房される。また、暖房運転では、下方吹出し口６からだけ空気を送り出すようにしてもよい。この場合には、所定のダンパ（図示せず）により上方吹出し口４への流れが阻止されることになる。
【００３６】
上述した空気調和機１では、遠心ファン９を覆うファンケーシング１０において、上方吹出しダクト１６と連通する接続部１４の一方の側１４ａの部分に舌部１３が形成され、接続部１４の他方の側１４ｂでは、周壁部１１と上吹出しダクト１６とが滑らかに接続されている。これにより、ファンケーシング１０内では、接続部１４の一方の側１４ａの舌部１３から周壁部１１に沿って接続部１４の他方の側１４ｂに向う大局的な空気の流れが生じ、舌部１３から上方吹出し口４までの空気の流路長を従来の空気調和機よりも長く確保することができる。その結果、頻繁に使用される冷房運転において、熱交換されて冷却された空気の十分な吹出し風量を得ることができる。
【００３７】
また、ファンケーシング１０では、周壁部１１のうち、内周面１１ａに沿って形成される空気の流れの接線方向の先に下方吹出し口６が位置する周壁部１１の部分に切欠き穴１２が形成され、下吹出しダクト１５がその切欠き穴１２に連通して空気の流れに実質的に沿うようにして下方吹出し口６に繋がっている。そして、切欠き穴１２の開口断面積、下吹出しダクト１５の流路断面積および下方吹出し口６の開口断面積は、ほぼ同じ面積となるように設定されている。
【００３８】
これにより、ファンケーシング１０内から切欠き穴１２を経て下方吹出し口６に至る空気の流れを妨げる部分が少なくなって、暖房運転時において圧力損失を最小限に抑えて下方吹出し口６から熱交換された空気を吹出すことができる。こうして、本空気調和機では、頻繁に使用される冷房運転時では、上方吹出しの風量を十分に確保することができ、また、暖房運転時では、上方吹出しを行ないながら圧力損失を抑えた下方吹出しを行なうことができる。
【００３９】
なお、上述した空気調和機１では、下方吹出しダクト１５の途中にダンパー１７を設けた場合を例に挙げたが、たとえば、図１４に示すように、ファンケーシング１０の周壁部１１に沿ってスライド（矢印５５）させる態様のダンパー１９を適用してもよい。
【００４０】
今回開示された実施の形態は例示であってこれに制限されるものではない。本発明は上記で説明した範囲ではなく、特許請求の範囲によって示され、特許請求の範囲と均等の意味および範囲でのすべての変更が含まれることが意図される。
【図面の簡単な説明】
【００４１】
【図１】本発明の実施の形態に係る空気調和機の正面図である。
【図２】同実施の形態において、空気調和機の側面図である。
【図３】同実施の形態において、図１に示す断面線ＩＩＩ−ＩＩＩにおける断面図である。
【図４】同実施の形態において、図２に示す断面線ＩＶ−ＩＶにおける断面図である。
【図５】同実施の形態において、ファンケーシングを示す斜視図である。
【図６】同実施の形態において、ファンケーシングを示す他の斜視図である。
【図７】同実施の形態において、ファンケーシングにおける切欠き穴の取付け位置を説明するための第１の正面図である。
【図８】同実施の形態において、ファンケーシングにおける切欠き穴の取付け位置を説明するための第２の正面図である。
【図９】同実施の形態において、空気調和機の冷房運転動作を説明するためのダンパーを示す部分断面図である。
【図１０】同実施の形態において、空気調和機の冷房運転動作を説明するための第１の断面図である。
【図１１】同実施の形態において、空気調和機の冷房運転動作を説明するための第２の断面図である。
【図１２】同実施の形態において、空気調和機の暖房運転動作を説明するための断面図である。
【図１３】同実施の形態において、空気調和機の暖房運転動作を説明するためのダンパーを示す部分断面図である。
【図１４】同実施の形態において、ファンケーシングに取付けられるダンパーの変形例を示す斜視図である。
【図１５】従来の空気調和機の斜視図である。
【図１６】図１５に示す断面線ＸＶＩ−ＸＶＩにおける断面図である。
【符号の説明】
【００４２】
１  空気調和機、２  筐体、３  吸込み口、４  上方吹出し口、５ａ，５ｂ  側方吹出し口、６  下方吹出し口、７  エアーフィルタ、８  熱交換器、９  遠心ファン、９ａ  モータ、９ｂ  羽根、９ｃ  回転軸、１０  ファンケーシング、１１  周壁部、１１ａ  内周面、１２  切欠き穴、１３  舌部、１４  接続部、１４ａ  一方の側、１４ｂ  他方の側、１５  下方吹出しダクト、１６  上方吹出しダクト、１７，１９  ダンパー、１８  エアガイダ。
【図１】
2008180457.tif 000003
【図２】
2008180457.tif 000004
【図３】
2008180457.tif 000005
【図４】
2008180457.tif 000006
【図５】
2008180457.tif 000007
【図６】
2008180457.tif 000008
【図７】
2008180457.tif 000009
【図８】
2008180457.tif 000010
【図９】
2008180457.tif 000011
【図１０】
2008180457.tif 000012
【図１１】
2008180457.tif 000013
【図１２】
2008180457.tif 000014
【図１３】
2008180457.tif 000015
【図１４】
2008180457.tif 000016
【図１５】
2008180457.tif 000017
【図１６】
2008180457.tif 000018